【手続補正書】
【提出日】平成17年9月16日(2005.9.16)
【手続補正１】
【補正対象書類名】明細書
【補正対象項目名】発明の名称
【補正方法】変更
【補正の内容】
【発明の名称】情報再生装置及び情報再生方法
【手続補正２】
【補正対象書類名】明細書
【補正対象項目名】特許請求の範囲
【補正方法】変更
【補正の内容】
【特許請求の範囲】
【請求項１】  映像情報を含む情報を記録媒体から再生する再生手段と、
前記再生手段により再生された映像情報に付加された所定の情報を取得する情報取得手段と、
前記情報取得手段により取得された付加情報を表示情報に変換する変換手段と、
前記再生手段により再生された映像情報を表示装置に出力する映像出力手段とを備え、
前記映像出力手段は、前記映像情報の早送りの指示に応じて、前記変換手段により得られた表示情報を早送り再生された前記映像情報に合成して前記表示装置に出力することを特徴とする情報再生装置。
【請求項２】  映像情報を含む情報を記録媒体から再生する再生手段と、
前記再生手段により再生された映像情報に付加された所定の情報を検出する情報検出手段と、
前記情報検出手段により検出された付加情報に含まれるリンク先情報を検出し、前記リンク先情報に基づいてインターネットの前記リンク先から情報を取得する情報取得手段と、
前記再生手段により再生された映像情報を表示装置に出力する映像出力手段とを備え、
前記映像出力手段は、前記映像情報の早送りの指示に応じて、前記情報取得手段により得られた情報を早送り再生された前記映像情報に合成して前記表示装置に出力することを特徴とする情報再生装置。
【請求項３】  映像情報を含む情報を記録媒体から再生する再生手段と、
前記再生手段により再生された映像情報に付加された所定の情報を取得する情報取得手段と、
前記情報取得手段により取得された付加情報を表示情報に変換する変換手段と、
前記表示情報の表示時間を設定する設定手段と、
前記再生手段により再生された映像情報を表示装置に出力する映像出力手段とを備え、
前記映像出力手段は、前記映像情報の早送りの指示に応じて、前記設定手段により設定された設定時間の間前記変換手段により得られた表示情報を前記表示装置に出力することを特徴とする情報再生装置。
【請求項４】  映像情報を含む情報を記録媒体から再生する再生工程と、
前記再生工程により再生された映像情報に付加された所定の情報を取得する情報取得工程と、
前記情報取得工程により取得された付加情報を表示情報に変換する変換工程と、
前記映像情報の早送りの指示に応じて、前記変換工程により得られた表示情報を早送り再生された前記映像情報に合成して表示装置に出力する映像出力工程とを有することを特徴とする情報再生方法。
【請求項５】  映像情報を含む情報を記録媒体から再生する再生工程と、
前記再生工程により再生された映像情報に付加された所定の情報を検出する情報検出工程と、
前記情報検出工程により検出された付加情報に含まれるリンク先情報を検出し、前記リンク先情報に基づいてインターネットの前記リンク先から情報を取得する情報取得工程と、
前記映像情報の早送りの指示に応じて、前記情報取得工程により得られた情報を早送り再生された前記映像情報に合成して表示装置に出力する映像出力工程とを有することを特徴とする情報再生方法。
【請求項６】  映像情報を含む情報を記録媒体から再生する再生工程と、
前記再生工程により再生された映像情報に付加された所定の情報を取得する情報取得工程と、
前記情報取得工程により取得された付加情報を表示情報に変換する変換工程と、
前記表示情報の表示時間を設定する設定工程と、
前記再生工程により再生された映像情報を表示装置に出力すると共に、前記映像情報の早送りの指示に応じて、前記設定工程により設定された設定時間の間前記変換工程により得られた表示情報を前記表示装置に出力する映像出力工程とを有することを特徴とする情報再生方法。
【手続補正３】
【補正対象書類名】明細書
【補正対象項目名】０００１
【補正方法】変更
【補正の内容】
【０００１】
【発明の属する技術分野】
本発明は、映像情報などの情報を再生する情報再生装置及び情報再生方法に関する。
【手続補正４】
【補正対象書類名】明細書
【補正対象項目名】００１０
【補正方法】変更
【補正の内容】
【００１０】
本発明は上記従来の問題点に鑑み、映像再生時に容易に飛ばし見される可能性の高いＣＭ映像等のサーチ再生中でも、通常の映像（ＣＭ等）再生時とは異なった、サーチ再生にも対応した映像再生を可能にする情報再生装置及び情報再生方法を提供することを目的とする。
【手続補正５】
【補正対象書類名】明細書
【補正対象項目名】００１１
【補正方法】変更
【補正の内容】
【００１１】
【課題を解決するための手段】
上記目的を達成するために、請求項１の発明に係る情報再生装置では、映像情報を含む情報を記録媒体から再生する再生手段と、前記再生手段により再生された映像情報に付加された所定の情報を取得する情報取得手段と、前記情報取得手段により取得された付加情報を表示情報に変換する変換手段と、前記再生手段により再生された映像情報を表示装置に出力する映像出力手段とを備え、前記映像出力手段は、前記映像情報の早送りの指示に応じて、前記変換手段により得られた表示情報を早送り再生された前記映像情報に合成して前記表示装置に出力することを特徴とする。
請求項２の発明に係る情報再生装置では、映像情報を含む情報を記録媒体から再生する再生手段と、前記再生手段により再生された映像情報に付加された所定の情報を検出する情報検出手段と、前記情報検出手段により検出された付加情報に含まれるリンク先情報を検出し、前記リンク先情報に基づいてインターネットの前記リンク先から情報を取得する情報取得手段と、前記再生手段により再生された映像情報を表示装置に出力する映像出力手段とを備え、前記映像出力手段は、前記映像情報の早送りの指示に応じて、前記情報取得手段により得られた情報を早送り再生された前記映像情報に合成して前記表示装置に出力することを特徴とする。
請求項３の発明に係る情報再生装置では、映像情報を含む情報を記録媒体から再生する再生手段と、前記再生手段により再生された映像情報に付加された所定の情報を取得する情報取得手段と、前記情報取得手段により取得された付加情報を表示情報に変換する変換手段と、前記表示情報の表示時間を設定する設定手段と、前記再生手段により再生された映像情報を表示装置に出力する映像出力手段とを備え、前記映像出力手段は、前記映像情報の早送りの指示に応じて、前記設定手段により設定された設定時間の間前記変換手段により得られた表示情報を前記表示装置に出力することを特徴とする。
請求項４の発明に係る情報再生方法では、映像情報を含む情報を記録媒体から再生する再生工程と、前記再生工程により再生された映像情報に付加された所定の情報を取得する情報取得工程と、前記情報取得工程により取得された付加情報を表示情報に変換する変換工程と、前記映像情報の早送りの指示に応じて、前記変換工程により得られた表示情報を早送り再生された前記映像情報に合成して表示装置に出力する映像出力工程とを有することを特徴とする。
請求項５の発明に係る情報再生方法では、映像情報を含む情報を記録媒体から再生する再生工程と、前記再生工程により再生された映像情報に付加された所定の情報を検出する情報検出工程と、前記情報検出工程により検出された付加情報に含まれるリンク先情報を検出し、前記リンク先情報に基づいてインターネットの前記リンク先から情報を取得する情報取得工程と、前記映像情報の早送りの指示に応じて、前記情報取得工程により得られた情報を早送り再生された前記映像情報に合成して表示装置に出力する映像出力工程とを有することを特徴とする。
請求項６の発明に係る情報再生方法では、映像情報を含む情報を記録媒体から再生する再生工程と、前記再生工程により再生された映像情報に付加された所定の情報を取得する情報取得工程と、前記情報取得工程により取得された付加情報を表示情報に変換する変換工程と、前記表示情報の表示時間を設定する設定工程と、前記再生工程により再生された映像情報を表示装置に出力すると共に、前記映像情報の早送りの指示に応じて、前記設定工程により設定された設定時間の間前記変換工程により得られた表示情報を前記表示装置に出力する映像出力工程とを有することを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】